(57)【要約】【課題】遊技機の当選データを、紙や携帯電話のメモ帳機能などにメモしてしまうと、当選データをパソコン等で管理したい場合は再度入力しなおさなければならなかった。また、当選データの確率計算等は複雑であるため、電卓等で行うことは不可能に近かった。【解決手段】ユーザが遊技機の当選データの入出力を行うユーザ端末と、前記ユーザ端末と情報通信ネットワークを介して接続されるＷＷＷサーバーからなる当選データ処理システムにおいて、前記ＷＷＷサーバーは、前記ユーザ端末のＷＥＢブラウザより送信された当選データを前記ＷＷＷサーバーに記録するステップと、前記ＷＷＷサーバーに記録した当選データを読み出して当選確率を計算するステップと、前記計算の結果を前記ＷＷＷサーバーから前記ユーザ端末のＷＥＢブラウザに出力するステップと、を備える。【選択図】図１
2008027410.tif 000002
【特許請求の範囲】
【請求項１】
ユーザが遊技機の当選データの入出力を行うユーザ端末と、前記ユーザ端末と情報通信ネットワークを介して接続されるＷＷＷサーバーからなる当選データ処理システムにおいて、前記ＷＷＷサーバーは、前記ユーザ端末のＷＥＢブラウザより送信された当選データを前記ＷＷＷサーバーに記録するステップと、前記ＷＷＷサーバーに記録した当選データを読み出して当選確率を計算するステップと、前記計算の結果を前記ＷＷＷサーバーから前記ユーザ端末のＷＥＢブラウザに出力するステップと、を備えることを特徴とする当選データ処理システム。
【請求項２】
前記ＷＷＷサーバーに記録した当選データを読み出して当選確率を計算するステップは、当選データを行と列に分解し、列単位で集計して当選確率を計算する事を特徴とする請求項１に記載の当選データ処理システム。
【請求項３】
前記計算結果をＷＷＷサーバーから前記ユーザ端末のＷＥＢブラウザに出力するステップは、ユーザが指定したファイル形式に変換して出力することを特徴とする請求項１に記載の当選データ処理システム。
【請求項４】
パチンコ遊技機、回胴式遊技機、カジノ遊技機、メダルゲーム機のいずれかの遊技に関する当選データの処理を、請求項１〜請求項３のいずれかに記載の当選データ処理システムを利用して行う当選データ処理方法。
【発明の詳細な説明】
【技術分野】
【０００１】本発明は、ユーザ端末とＷＷＷサーバーを情報通信ネットワークで接続して、遊技機の当選データの処理を行えるようにするための当選データ処理システムおよび方法に関する。
【背景技術】
【０００２】従来から、当選に関するデータの記録は、紙のメモ帳に記録するか、携帯電話のメモ帳機能を利用している。当選データを計算し、確率等の情報が必要な場合は、電卓などを利用するほか、表計算ソフトなどを利用して計算している。
【発明の開示】
【発明が解決しようとする課題】
【０００３】しかしながら、従来のように紙に記録をする方法や、携帯電話のメモ帳に記録を方法は、元の記録媒体から他の記録媒体にそのままデータを移すことが出来ず、共通のデータ形式に変換したいときには、再度パソコン等に手入力によって記録しなおさなければならなかった。また、複雑な当選データの計算を電卓等で行うことは非常に面倒であるために、もっぱら簡単な確率計算を行う程度か、もしくは、記録のみであきらめるのが普通であった。【０００４】本発明は上記の点に鑑みてなされたものであり、パソコンや携帯電話等のユーザ端末より入力された当選データを、サーバーにて記録保存および計算し、ユーザが指定する形式に変換して出力することが可能な当選データ処理システムおよび方法を提供することを目的とする。
【課題を解決するための手段】
【０００５】請求項１の本発明は、ユーザが遊技機の当選データの入出力を行うユーザ端末と、前記ユーザ端末と情報通信ネットワークを介して接続されるＷＷＷサーバーからなる当選データ処理システムにおいて、前記ＷＷＷサーバーは、前記ユーザ端末のＷＥＢブラウザより送信された当選データを前記ＷＷＷサーバーに記録するステップと、前記ＷＷＷサーバーに記録した当選データを読み出して当選確率を計算するステップと、前記計算の結果を前記ＷＷＷサーバーから前記ユーザ端末のＷＥＢブラウザに出力するステップと、を備えることにより達成される。【０００６】請求項２の本発明は、前記ＷＷＷサーバーに記録した当選データを読み出して当選確率を計算するステップは、当選データを行と列に分解し、列単位で集計して当選確率を計算する事を特徴とする請求項１に記載の当選データ処理システムである。【０００７】請求項３の本発明は、前記計算結果をＷＷＷサーバーからユーザ端末のＷＥＢブラウザに出力するステップは、ユーザが指定したファイル形式に変換して出力することを特徴とする請求項１に記載の当選データ処理システムである。【０００８】請求項４の本発明は、パチンコ遊技機、回胴式遊技機、カジノ遊技機、メダルゲーム機のいずれかの遊技に関する当選データの処理を、請求項１〜請求項３のいずれかに記載の当選データ処理システムを利用して行う当選データ処理方法である。
【発明の効果】
【０００９】以上説明したように、本発明によれば、ユーザは今までのように紙や携帯電話のメモ帳機能を利用して当選データを記録する必要が無くなり、つまり、ユーザ端末に直接入力するだけで、記録、計算、データ形式の変換が可能になり、利便性の高い当選データ処理システムのサービスを提供することができる。
【発明を実施するための最良の形態】
【００１０】以下、本発明を、図面を参照して、その実施の形態に基づいて説明する。【００１１】パチンコ遊技機や回胴式遊技機は、パチンコ店で遊ぶことが出来て、メダルゲーム機やカジノ遊技機（スロットマシーン等）はゲームセンター等で遊ぶことが出来る。遊技機の当選に関するデータを記録することは、その遊技機のファンの間では当たり前の行為であり、現在も当選に関するデータを、紙のメモ帳に手書きで書いたり、もしくは、携帯電話のメモ帳機能を使ってメモしたりしている。【００１２】なお、当選データとは、大当たりした役（当選役）、大当たりした回転数（プレイ数）、などの、その大当たりに関わった個々の情報などである。パチンコ遊技機の場合ならば、確率変動絵柄か普通絵柄か、大当たりしたのは何回転目か、リーチなどは何回発生したか、投資額はいくらかかったのか等である。回胴式遊技機ならば、ビックボーナスかレギュラーボーナスか、大当たりを引いたのは何プレイ目か、チェリーやスイカなどの特別な意味を持つ小役を何回引いたか等である。メダルゲーム機やカジノ遊技機も同じように、当選役や使ったメダルの枚数等を記録する。【００１３】これらの当選データを記録することにより、遊技機で遊ぶことがさらに楽しくなるのは確かであるが、問題はその当選データを記録した後である。紙のメモ帳に記録した場合、日が経つにつれて膨大な量になってしまう。携帯電話のメモ帳に記録した場合も、日が経つにつれて膨大な数のファイルになってしまう。よって、膨大な当選データに悩まないようにするには、その当選データをパソコン等に取り込んでデーターベース化することであるが、この方法はメモ帳を片手にパソコンに入力しなければならないので、かなり大変である。【００１４】また、たとえ苦労して入力したとしても、それを集計し、確率計算等を行うことは非常に困難なことであるため、多くのファンは当選データをメモ帳に記録するだけに留めているのが現実である。【００１５】そこで本発明は、携帯電話やパソコンなどのユーザ端末よりＷＷＷサーバーにアクセスして当選データを記録および計算できるようにして、誰でも簡単に当選データを処理できるようにした。【００１６】情報通信ネットワークにアクセス可能なＷＥＢブラウザ搭載の携帯電話や、ＰＤＡなどの個人ユーザが所持する携帯型情報端末機よりＷＷＷサーバーにアクセスし、当選データを記録する。記録された当選データは瞬時に確率等の計算が行われ、携帯型情報端末機のＷＥＢブラウザに表示されるため、リアルタイムに遊技機の当選に関わった色々な情報を知ることが可能になる。【００１７】図１は本発明の実施例におけるユーザ端末と、ＷＷＷサーバーとのネットワークの概略構成である。この例では情報通信ネットワークとしてインターネットを例に挙げている。【００１８】ユーザは、ユーザ端末を使用して当選データの入力を行う。ユーザ端末とは主に携帯電話やＰＤＡやパーソナルコンピューターを指すが、ユーザが出先でこの処理システムを使用するならば、携帯電話およびＰＤＡが使われ、家庭でこのシステムを使うならば、パーソナルコンピューターを使うことになるのが一般である。【００１９】ユーザが出先で使う場合は、携帯電話よりＷＷＷサーバーにアクセスする（ａ）。次にＷＷＷサーバーは、当選データを入力するためのフォームを携帯電話のＷＥＢブラウザに表示する（ｂ）。ユーザはそのフォームに当選に関するデータを、当選役や大当たりしたときの回転数や備考などを、シャープなどの区切り文字を挟んで入力する。当選が起こるたびに、以上の入力を繰り返す。入力が完了したならば、計算実行ボタンを押して携帯電話のＷＥＢブラウザに入力した当選データをＷＷＷサーバーに送信する（ａ）。ＷＷＷサーバーは受信した当選データを行と列に分解し、列単位で集計し、確率計算等を行う。計算が完了したら、ＷＷＷサーバーより携帯電話のＷＥＢブラウザに計算結果を表示する（ｂ）。【００２０】また、ユーザが指定したファイル形式に変換して出力することも可能であり、デスクトップパソコンもしくはノートパソコンからＷＷＷサーバーにアクセスし、ＨＴＭＬファイルやＣＳＶファイルとしてダウンロードしてＷＥＢ日記やブログに集計および計算された当選データを載せたり、表計算ソフトなどを利用して当選データをデーターベース化したりすることが可能になる。【００２１】ユーザが遊戯を終えたならば、パーソナルコンピューターよりＷＷＷサーバーにアクセスする（ｃ）。次にＷＷＷサーバーは、当選データを入力するためのフォームや、すでに入力されている当選データを計算した結果をパーソナルコンピューターのＷＥＢブラウザに表示する（ｄ）。ユーザは自分が望むデータ形式に当選データ、および、計算結果を変換してダウンロードする。【００２２】図２は、当選データを計算するために個々の当選情報に分解する方法である。指定区切り文字、もしくは記号で区切られた個々の当選情報を行列に代入し、列ごとに集計して計算する。この方法を取ることにより、ユーザが携帯型情報端末機に当選データを入力するのが直感的にわかりやすくなる。
【産業上の利用可能性】
【００２３】以上のように、本発明にかかる当選データ処理システム、および方法は、当選データの処理に有用であるため、産業上の利用可能性を有する。
【図面の簡単な説明】
【００２４】
【図１】本発明の実施例におけるユーザ端末とＷＷＷサーバーとのネットワークの概略構成である。
【図２】ＷＷＷサーバーにおける当選データの計算方式の概略である。
【符号の説明】
【００２５】ａ  携帯電話からＷＷＷサーバーへのアクセスおよびデータ送信
ｂ  ＷＷＷサーバーから携帯電話へのアクセスおよびデータ送信
ｃ  パーソナルコンピューターからＷＷＷサーバーへのアクセスおよびデータ送信
ｄ  ＷＷＷサーバーからパーソナルコンピューターへのアクセスおよびデータ送信
【図１】
2008027410.tif 000003
【図２】
2008027410.tif 000004